(57)【要約】【課題】新旧モデルの遊技盤交換時における外レールと発射レールとの相対的位置関係に起因する「球飛び」の調整作業を不要とし、遊技盤の交換作業を円滑に行うことが可能なパチンコ機における遊技盤の固定構造を提供すること。【解決手段】遊技盤１５を前面枠１に取り付ける場合には、内レール及び役物等が設けられた遊技盤１５と、外レール３５のみが設けられた外レール支持枠２０とを各々の位置決め孔１６，２８を前面枠１の位置決めピン５に夫々嵌合させてその前面枠１に順に取り付けてから、外レール支持枠２０を貫いて突出する位置決めピン５の係止溝６に係止手段たる止め金具４５の係止凹部４７を係合させることにより、遊技盤１５と外レール支持枠２０とは前面枠１に固定される。【選択図】　図２
2004008470.tif 000002
【特許請求の範囲】
【請求項１】
縦長の矩形状に形成された外枠の一側部に軸支されて開閉自在とされた前面枠を設け、その前面枠の前面には遊技盤を取り付けると共に発射装置によって発射される遊技球を外レールに誘導する発射レールを設け、該遊技盤を正面（遊技者）側から着脱可能に構成したパチンコ機において、
前記前面枠の前面には複数の位置決めピンを水平方向に突設し、前記遊技盤にはそれら位置決めピンに対応する位置決め孔を形成すると共に球案内レールのうちの内レールのみを設け、中央に形成されたほぼ円形状窓部の内周面に該内レールと一対をなす外レールを設け、さらに、前記位置決めピンに対応する位置決め孔を形成すると共に該位置決めピンに係脱自在とした係止手段を備えた外レール支持枠を設け、前記前面枠に対して遊技盤と外レール支持枠とを各々の位置決め孔を前記位置決めピンに夫々嵌合させることにより順に取り付けると共に、その外レール支持枠を貫いて突出する位置決めピンに前記係止手段の一部を係合させることにより、その前面枠に遊技盤と外レール支持枠とが固定されるように構成したことを特徴とするパチンコ機における遊技盤の固定構造。
【請求項２】
前記係止手段が止め金具であって、その止め金具の一部を前記位置決めピンの先端に形成された係止溝に係合させるように設けたことを特徴とする請求項１に記載のパチンコ機における遊技盤の固定構造。
【請求項３】
縦長の矩形状に形成された外枠の一側部に軸支されて開閉自在とされた前面枠を設け、その前面枠の前面には遊技盤を取り付けると共に発射装置によって発射される遊技球を外レールに誘導する発射レールを設け、該遊技盤を正面（遊技者）側から着脱可能に構成したパチンコ機において、
前記前面枠の前面には複数の位置決めピンを水平方向に突設すると共に複数の固定レバーを設け、前記遊技盤にはそれら位置決めピンに対応する位置決め孔を形成すると共に球案内レールのうちの内レールのみを設け、中央に形成されたほぼ円形状窓部の内周面に該内レールと一対をなす外レールを設けると共に、前記位置決めピンに対応する位置決め孔が形成された外レール支持枠を設け、前記前面枠に対して遊技盤と外レール支持枠とを各々の位置決め孔を前記位置決めピンに夫々嵌合させることにより順に取り付けると共に、その外レール支持枠に前記固定レバーを係合させて押圧することにより、その前面枠に遊技盤と外レール支持枠とが固定されるように構成したことを特徴とするパチンコ機における遊技盤の固定構造。
【発明の詳細な説明】
【０００１】
【発明の属する技術分野】
本発明は、遊技盤を正面（遊技者）側から着脱する形式であって、特に新旧モデルの遊技盤交換時における「球飛び」の調整作業を不要としたパチンコ機における遊技盤の固定構造に関する。
【０００２】
【従来の技術】
従来のパチンコ機において遊技盤を固定する方法は、例えば、特開平１０−２１６３２０号公報に、遊技機の背面から外枠に開閉自在とされた枠基体の背部側に遊技盤を収納し、複数の固定レバーによって同遊技盤の裏面を押圧して固定を施す構造が開示されている。そして、遊技盤の前面には球案内レールである外レールと内レールをほぼ円形状に設けて、打ち込まれる遊技球が転動する遊技領域が区画形成されている。それらのレールは、遊技盤に当接する側に穿設された穴に通した二股形の釘を遊技盤に打ち込むことにより固定が施されている。
【０００３】
上記球案内レールの固定方法については、球案内レールの遊技盤に当接しない自由端側が拘束されていないのでレールが変位しやすくて不安定となる。特に、外レールの取り付け状態が安定していない場合には、発射装置によって発射される遊技球の飛び方が悪くなるために、遊技球が遊技領域に円滑に打ち込まれないという不都合を生ずる。そこで、外レールを遊技盤から分離して内枠（枠基体）に固定するように設けて、内レールを固定した遊技盤を内枠の背部から取り付けるようにした技術が特開２００１−６２０５３号公報に開示されている。
【０００４】
他方、遊技盤を正面側から固定する形式については、外レールと内レールをほぼ円形状に配設した遊技盤を遊技機の正面側から遊技盤保持枠に装着し、その保持枠に設けられた固定レバーを操作することにより遊技盤の固定を施す構造とされている。
【０００５】
【発明が解決しようとする課題】
従来の前二者の弾球遊技機にかかる遊技盤を固定する構造においては、遊技領域の正面をほぼ覆う透明ガラス板が取り付けられた装飾枠を枠基体から開放すると共に、球タンク、賞球払い出し装置や打玉処理機構などを備えた機構板を遊技盤保持枠に設けられた固定レバーを操作して開放してから遊技盤の取り付け及び取り外しを行うために、その作業は極めて煩雑となっている。
【０００６】
また、後者の遊技盤を遊技機の正面側から固定する形式については、遊技機の背面側から機構板を開閉する手間等は省略されるが、遊技盤に設けられた外レールと内レールの取り付け状態が安定していない場合には、発射装置によって発射される遊技球の飛び方が悪くなるという不都合を免れない。現在のパチンコホールでは、パチンコ機の遊技盤のみを新しいモデルのものと交換してパチンコ機本体や発射レールその他の部品をそのまま使用することが一般的に行われている。しかして、旧モデルの遊技盤から新モデルの遊技盤に交換する場合には、新しい遊技盤の製作誤差や外レールの取り付け位置や姿勢状態によって引き続き使用される発射レールとの相対的位置関係に微妙な差異を生ずるために、いわゆる「球飛び」の状態が変わってしまい、遊技球が遊技領域に円滑に打ち込まれないという不都合を生ずる。このため、外レールと発射レールとの相対的位置関係を調整することになるが、その調整作業はかなりの経験者でなければ的確に行うことができず、パチンコホールにて何十台ものパチンコ機の遊技盤を一時に交換しなければならない状況にあっては、多大な時間を要して大変煩わしいことであると言えよう。
【０００７】
この発明の目的は、新旧モデルの遊技盤交換時における外レールと発射レールとの相対的位置関係に起因する「球飛び」の調整作業を不要とし、遊技盤の交換作業を円滑に行うことが可能なパチンコ機における遊技盤の固定構造を提供することにある。
【０００８】
【課題を解決するための手段】
前記目的を達成するために請求項１に記載した発明は、縦長の矩形状に形成された外枠の一側部に軸支されて開閉自在とされた前面枠を設け、その前面枠の前面には遊技盤を取り付けると共に発射装置によって発射される遊技球を外レールに誘導する発射レールを設け、該遊技盤を正面（遊技者）側から着脱可能に構成したパチンコ機において、前記前面枠の前面には複数の位置決めピンを水平方向に突設し、前記遊技盤にはそれら位置決めピンに対応する位置決め孔を形成すると共に球案内レールのうちの内レールのみを設け、中央に形成されたほぼ円形状窓部の内周面に該内レールと一対をなす外レールを設け、さらに、前記位置決めピンに対応する位置決め孔を形成すると共に該位置決めピンに係脱自在とした係止手段を備えた外レール支持枠を設け、前記前面枠に対して遊技盤と外レール支持枠とを各々の位置決め孔を前記位置決めピンに夫々嵌合させることにより順に取り付けると共に、その外レール支持枠を貫いて突出する位置決めピンに前記係止手段の一部を係合させることにより、その前面枠に遊技盤と外レール支持枠とが固定されるように構成したことを特徴とする。
【０００９】
同様の目的を達成するために請求項２に記載した発明は、請求項１に記載のパチンコ機における遊技盤の固定構造において、前記係止手段が止め金具であって、その止め金具の一部を前記位置決めピンの先端に形成された係止溝に係合させるように設けたことを特徴とする。
【００１０】
同様の目的を達成するために請求項３に記載した発明は、縦長の矩形状に形成された外枠の一側部に軸支されて開閉自在とされた前面枠を設け、その前面枠の前面には遊技盤を取り付けると共に発射装置によって発射される遊技球を外レールに誘導する発射レールを設け、該遊技盤を正面（遊技者）側から着脱可能に構成したパチンコ機において、前記前面枠の前面には複数の位置決めピンを水平方向に突設すると共に複数の固定レバーを設け、前記遊技盤にはそれら位置決めピンに対応する位置決め孔を形成すると共に球案内レールのうちの内レールのみを設け、中央に形成されたほぼ円形状窓部の内周面に該内レールと一対をなす外レールを設けると共に、前記位置決めピンに対応する位置決め孔が形成された外レール支持枠を設け、前記前面枠に対して遊技盤と外レール支持枠とを各々の位置決め孔を前記位置決めピンに夫々嵌合させることにより順に取り付けると共に、その外レール支持枠に前記固定レバーを係合させて押圧することにより、その前面枠に遊技盤と外レール支持枠とが固定されるように構成したことを特徴とするものである。
【００１１】
【発明の作用及び効果】
（請求項１の発明）
遊技盤を前面枠に取り付ける場合には、内レール及び役物等が設けられた遊技盤と、外レールのみが設けられた外レール支持枠とを各々の位置決め孔を前面枠の位置決めピンに夫々嵌合させて当該前面枠に順に取り付ける。そして、外レール支持枠を貫いて突出する位置決めピンに係止手段の一部を係合させることにより、遊技盤と外レール支持枠とは、前面枠に確実に固定される。
【００１２】
また、遊技盤を前面枠から取り外す場合には、係止手段の一部と位置決めピンとの係合状態を解除してから、外レール支持枠、遊技盤を位置決めピンから順に抜き取ればよい。
【００１３】
しかして、遊技盤の着脱操作を行う際、特に新旧モデルの遊技盤を交換する場合において、外レール支持枠に固定された外レールと発射レールとの相対的位置関係が、旧モデルから新モデルの遊技盤に交換しても従来のままで変化しなく、安定した状態に維持される。このため、その相対的位置関係に起因する「球飛び」の煩雑な調整作業が不要となる。
【００１４】
（請求項２の発明）
外レール支持枠を貫いて突出する位置決めピンの係止溝に止め金具の一部を係合させることにより、遊技盤と外レール支持枠とは、前面枠に確実に固定される。他方、遊技盤を前面枠から取り外す場合には、止め金具による係合を解除してから、外レール支持枠、遊技盤を位置決めピンから順に抜き取ればよい。
【００１５】
（請求項３の発明）
遊技盤を前面枠に取り付ける場合には、内レール及び役物等が設けられた遊技盤と、外レールのみが設けられた外レール支持枠とを各々の位置決め孔を前面枠の位置決めピンに夫々嵌合させて当該前面枠に順に取り付ける。そして、外レール支持枠に固定レバーを係合させて押圧することにより、遊技盤と外レール支持枠とは前面枠に確実に固定される。
【００１６】
また、遊技盤を取り外す場合には、固定レバーによる押圧係合状態を解除してから、外レール支持枠、遊技盤を位置決めピンから順に抜き取ればよい。
なお、請求項１の発明と同様に、新旧モデルの遊技盤を交換する場合における「球飛び」の調整作業については不要である。
【００１７】
このパチンコ機における遊技盤の固定構造によれば、正面側から遊技盤の着脱操作を簡単に行うことができる。特に新旧モデルの遊技盤交換時において、外レールと発射レールとの相対的位置関係が、旧モデルから新モデルの遊技盤に交換しても従来のままで変化しないため、「球飛び」の調整作業が不要となり、遊技盤の交換作業を円滑に迅速に行うことが可能となる。さらには、遊技盤を旧モデルから新モデルに交換しても外レールについては、そのまま使用することができるので、環境資源の有効利用に役立つという利点がある。
【００１８】
【発明の実施の形態】
以下に、本発明の実施の形態例を図面に基づいて説明する。図１は前面枠に遊技盤と外レール支持枠とが固定された状態を示す正面図、図２は前面枠と遊技盤と外レールと外レール支持枠とが分離された状態を示す斜視図、図３は図１の鎖線で囲んだＡの部分を拡大して示す斜視図、図４は外レール支持枠と外レールとを分離した状態を背面から示す斜視図、図５は外レールが固定された外レール支持枠の背面図、図６は図５のＢ−Ｂ線断面図、図７は図５のＣ−Ｃ線断面図、図８は外レールの上端の取り付け部の固定状態を示す説明図、図９は止め金具の説明図、図１０は位置決めピンと止め金具との位置関係を示す説明図である。
【００１９】
このパチンコ機においては、縦長の矩形状に形成される木製外枠（図示せず）の一側部たる左側部に、公知のパチンコ機と同様に、図示しない金具によって軸支されて水平方向に開閉自在とされるプラスチック製前面枠１を設けている。以下に詳しく述べるように、この前面枠１の前面１ａには、遊技盤１５と外レール支持枠２０とが固定される。この実施の形態例では、遊技盤１５を正面（遊技者）側から着脱可能とする形式のパチンコ機を想定している。
【００２０】
図２に示すように、前面枠１の前面１ａには、外周囲を少し高くした矩形状の枠部２の中央に、ほぼ正方形の遊技盤１５の大きさに合わせて内方に窪むように設けられた遊技盤収容部３が一体に形成され、その遊技盤収容部３の背壁部４に大きな開口部４ａを形成すると共に複数、ここでは４本の位置決めピン５が所定位置に水平方向にインサート成形により突設されている。それら位置決めピン５の先端には、環状の係止溝６が形成されている。７は背壁部４の上下二ヶ所に、位置決めピン５と同様に突設された補助ピンである。８は貸し出し球や景品球を図示しない上皿に遊技機の背部側から供給するための透孔、９は上皿に溜まった遊技球を球抜きレバー（図示せず）の操作によって図示しない下皿に還流させるための透孔である。
【００２１】
図１及び図２に示すように、上記遊技盤収容部３の下部には、公知の発射レール１０を設けると共に発射装置１１が取り付けられている。その発射装置１１は、小角度だけ回転可能に設けられた槌１２を図示しないモータ装置の駆動によって間欠的に弾き、その槌１２の先端１２ａにて発射レール１０に待機する遊技球を叩くことにより、その遊技球が後記外レール３５を通って遊技領域ｒに導かれるように設けられている。１３はその発射装置１１を操作する発射ハンドル（図示せず）を取り付けるための軸部である。
【００２２】
遊技盤１５には、上記位置決めピン５及び補助ピン７に対応するように位置決め孔１６，１７を夫々形成すると共に、外レールと内レールとからなる球案内レールのうちの内レール（図示せず）のみを所定位置に取り付ける。また、この遊技盤１５には、誘導釘、図柄表示装置等の役物が公知のパチンコ機と同様に配設されるが、それらについては本発明の要旨外であるので図示を省略する。
【００２３】
外レール支持枠２０は、図２及び４に示すように、ほぼ正方形のプラスチック製枠本体２１の中央にほぼ円形状窓部２２が形成されていると共に、前記前面枠１の位置決めピン５に対応する位置決め孔２８と、該窓部２２の上部左右位置に飾りランプ（図示せず）を取り付けるための穴２９，２９及び窓部２２の下部左右位置に遊技盤１５に貼付される証紙を覗くための穴３０，３０が一体に形成されている。
【００２４】
上記窓部２２については、枠本体２１の正面から見て中央上部から左側の内周面２３ａに外レール３５の外面３５ａをあてがうように形成し、かつ、図３、図６及び７に示すように、その内周面２３ａの前縁に係止突条部２４を、その後縁に複数の係止突起２５を一体に形成し、これら係止突条部２４と係止突起２５とによって外レール３５の幅方向を規制するように設ける。しかして、外レール３５は、その外面３５ａを内周面２３ａにあてがって下端の取り付け部３６をビス３８により締め付けると共に、枠本体２１の背面側に装着されたコイルバネ４０の一端を上端の取り付け部３７にあてて外レール３５の周方向に適宜の圧力を付与した状態にて、ビス３９により締め付けて固定されている（図８）。
【００２５】
また、窓部２２の正面から見て右側の内周面２３ｂには、遊技盤１５に固定された内レールが近接して臨むように設けられている。
【００２６】
４５は前記位置決め孔２８の近くに夫々備えられた係止手段としての止め金具である。この止め金具４５は、図９に示すように、平板片４６の一端４６ａに係止凹部４７を切欠状に形成すると共に長手方向の一側縁に摘み片４８を形成し、位置決め孔２８の近くに形成された透孔３１にその他端４６ｂをビス５０により締め付けられて回転自由に設けられている。しかして、この止め金具４５は、図１０に示すように、枠本体２１に設けた位置決め孔２８を貫いて突出する前記位置決めピン５の係止溝６に該係止凹部４７を係脱自在とされている。
【００２７】
さらに、外レール支持枠２０の前面側には、公知のパチンコ機の基本的構成と同様に、遊技盤１５の遊技領域ｒの前面を覆うように配置されたガラス板が取り付けられた装飾枠（図示せず）が前面枠１に軸支されて開閉自在に設けられる。
【００２８】
つぎに、このパチンコ機において遊技盤１５を前面枠１に取り付ける手順について説明する。
まず、装飾枠を開放した状態にて、内レール及び役物等が設けられた遊技盤１５を前面枠１の位置決めピン５に位置決め孔１６を通して押し込むと共に、補助ピン７に位置決め孔１７を嵌合させて取り付ける。ついで、外レール３５が設けられた外レール支持枠２０を位置決めピン５に位置決め孔２８を嵌合させて取り付ける。そして、外レール支持枠２０を貫いて突出する位置決めピン５の先端の係止溝６に止め金具４５の係止凹部４７を係合させる。これにより、遊技盤１５と外レール支持枠２０とは、前面枠１の前面に確実に固定される。
【００２９】
つぎに、遊技盤１５を前面枠１から取り外す場合には、止め金具４５による係合を解除してから、外レール支持枠２０、遊技盤１５という順に位置決めピン５から抜き取ることにより行えばよい。
【００３０】
かかる構成になるパチンコ機の遊技盤の固定構造にあっては、同じ遊技盤を保守・修理等のために着脱する場合に限らず、パチンコホールにて旧モデルの遊技盤を廃止して新モデルの遊技盤と交換する場合、外レール支持枠２０に固定された外レール３５と発射レール１０との相対的位置関係については、旧モデルから新モデルの遊技盤に交換しても従来のままで変化しなく、安定した状態に維持されるように構成されている。その結果、前記相対的位置関係に起因する「球飛び」の煩雑な調整作業が全く不要となり、直ちにパチンコ遊技の実施に供することが可能である。
【００３１】
なお、この実施の形態例では止め金具４５を位置決めピン５の先端に係合させて外レール支持枠２０を固定する構成としているが、前面枠１に複数の固定レバー（図示せず）を設けて外レール支持枠２０の外面に該固定レバーを係合させて押圧することにより、前面枠１に遊技盤１５と外レール支持枠２０とが固定されるように構成することもできる。
【００３２】
以上の通り、このパチンコ機における遊技盤の固定構造によれば、正面側から遊技盤の着脱操作を簡単に行うことができる。さらに、新旧モデルの遊技盤交換時において、外レールと発射レールとの相対的位置関係が、旧モデルから新モデルの遊技盤に交換しても従来のままで変化しないように構成しているので、「球飛び」の調整作業が不要となり、遊技盤の交換作業を円滑に迅速に行うことができる利点を有する。
【図面の簡単な説明】
【図１】
前面枠に遊技盤と外レール支持枠とが固定された状態を示す正面図
【図２】
前面枠と遊技盤と外レールと外レール支持枠とが分離された状態を示す斜視図
【図３】
図１の鎖線で囲んだＡの部分を拡大して示す斜視図
【図４】
外レール支持枠と外レールとを分離した状態を背面から示す斜視図
【図５】
外レールが固定された外レール支持枠の背面図
【図６】図５のＢ−Ｂ線断面図
【図７】図５のＣ−Ｃ線断面図
【図８】外レールの上端の取り付け部の固定状態を示す説明図
【図９】止め金具の説明図
【図１０】位置決めピンと止め金具との位置関係を示す説明図
【符号の説明】
１・・・前面枠
１ａ・・・前面　３・・・遊技盤収容部
５・・・位置決めピン　６・・・係止溝
１０・・・発射レール　１１・・・発射装置
１５・・・遊技盤
１６・・・位置決め孔
２０・・・外レール支持枠
２１・・・枠本体　２２・・・窓部
２３ａ・・・（左側の）内周面
２３ｂ・・・（右側の）内周面
２４・・・係止突条部　２５・・・係止突起
２８・・・位置決め孔
３５・・・外レール
４５・・・止め金具（係止手段）
４７・・・係止凹部（係止手段の一部）
【図１】
2004008470.tif 000003
【図２】
2004008470.tif 000004
【図３】
2004008470.tif 000005
【図４】
2004008470.tif 000006
【図５】
2004008470.tif 000007
【図６】
2004008470.tif 000008
【図７】
2004008470.tif 000009
【図８】
2004008470.tif 000010
【図９】
2004008470.tif 000011
【図１０】
2004008470.tif 000012